【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
可変周波数シンセサイザーであって、
第１の参照周波数と、
第１の参照周波数を受信し、チューニングされた周波数を出力するダイレクトデジタルシンセサイザー（ＤＤＳ）と、
チューニングされた周波数を受信し、複数のコムラインから構成される可変周波数コムを出力する可変周波数コム発生器と、
可変周波数コムおよび発振器からの信号を受信し、中間周波数を出力するミキサーと、
第２の参照周波数および中間周波数を受信し、位相ロック信号を出力する位相ロックループ（ＰＬＬ）とを備え、
発振器が位相ロック信号を受信し、合成された周波数の範囲を出力するシンセサイザー。
【請求項２】
第１の参照周波数と第２の参照周波数が同じである、請求項１に記載のシンセサイザー。
【請求項３】
第２のＤＤＳをさらに備え、第２のＤＤＳが第２の固定参照周波数を得る、請求項１または２に記載のシンセサイザー。
【請求項４】
中間周波数が発振器の出力と少なくとも１つのコムライン間の差である、請求項１ないし３のいずれか一項に記載のシンセサイザー。
【請求項５】
中間周波数が固定されている、請求項４に記載のシンセサイザー。
【請求項６】
中間周波数が可変である、請求項４に記載のシンセサイザー。
【請求項７】
参照周波数が固定されている、請求項１ないし６のいずれか一項に記載のシンセサイザー。
【請求項８】
参照周波数が可変である、請求項１ないし６のいずれか一項に記載のシンセサイザー。
【請求項９】
発振器がＹＩＧタイプの発振器である、請求項１ないし８のいずれか一項に記載のシンセサイザー。
【請求項１０】
ＰＬＬからの誤差補正信号が電流である、請求項９に記載のシンセサイザー。
【請求項１１】
発振器が電圧制御発振器（ＶＣＯ）である、請求項１ないし８のいずれか一項に記載のシンセサイザー。
【請求項１２】
ＰＬＬからの誤差補正信号が電圧である、請求項１１に記載のシンセサイザー。
【請求項１３】
第２の固定参照周波数をさらに備え、ＤＤＳとＰＬＬの１つが第２の固定参照周波数を受信する、請求項１ないし１２のいずれか一項に記載のシンセサイザー。
【請求項１４】
出力された可変合成周波数範囲にチューニングホールがない、請求項１ないし１３のいずれか一項に記載のシンセサイザー。
【請求項１５】
ＤＤＳが固定参照周波数の約１／６から固定参照周波数の約２／５までの範囲全体でチューニング可能である、請求項１ないし１４のいずれか一項に記載のシンセサイザー。
【請求項１６】
ＤＤＳ出力周波数が第１のナイキストゾーン内である、請求項１５に記載のシンセサイザー。
【請求項１７】
ＤＤＳの出力周波数が第１のナイキストゾーンより高いナイキストゾーンにある、請求項１５に記載のシンセサイザー。
【請求項１８】
最低の出力された合成周波数（ＦＭＩＮ）、ＤＤＳの最大チューニング範囲（ΔＤＤＳＭＡＸ）、および定格コムラインの間隔の関係は次によって支配される、請求項１ないし１７のいずれか一項に記載のシンセサイザー。
【数１】
2015527826.tif 000001
【請求項１９】
ＰＬＬの極性がプラスとマイナス間で切り換えられ得る、請求項１ないし１８のいずれか一項に記載のシンセサイザー。
【請求項２０】
周波数コムラインが２から２０ＧＨｚの範囲をカバーする、請求項１ないし１９のいずれか一項に記載のシンセサイザー。
【請求項２１】
トグリングなしのＤＤＳによって達成可能でない限り、ＤＤＳがシンセサイザーを所望の周波数にチューニングするためにトグリングされる、請求項１ないし２０のいずれか一項に記載のシンセサイザー。
【請求項２２】
特定の周波数がトグリングなしのＤＤＳによって達成可能な第１の周波数とトグリングなしのＤＤＳによって達成可能な第２の周波数間の切り換えによって達成され、第１の周波数と第２の周波数が所望の周波数を取り囲んでいる、請求項２１に記載のシンセサイザー。
【請求項２３】
ＤＤＳが第１のシーケンス長の第１のチューニングワードで保持され、その後に、第２のシーケンス長の第２のチューニングワードで保持される、請求項２２に記載のシンセサイザー。
【請求項２４】
第１のチューニングワードと第２のチューニングワードが１だけ異なり、第１のシーケンス長と第２のシーケンス長の合計時間が最小限化される、請求項２３に記載のシンセサイザー。
【請求項２５】
第１のチューニングワードが次によって決められ、
【数２】
2015527826.tif 000002
第２のチューニングワードは次によって決められ、
【数３】
2015527826.tif 000003
第１のシーケンス長が次によって決められ、
【数４】
2015527826.tif 000004
および
第２のシーケンス長が次によって決められ、
【数５】
2015527826.tif 000005
ここで、ｆはクロック周波数、ｂは位相レジスタ長、ｖは整数の比によって、ｆに関連づけた周波数、ｍとｎは整数、Δはシンセサイザーチューニングステップサイズ、およびｇ＝ｇｃｄ（ｍｆ，２ｂｎΔ）であり、ここで、ｇｃｄは最大公約数である、請求項２４に記載のシンセサイザー。
【請求項２６】
ＤＤＳが第１のシーケンス長の第１のチューニングワードと第２のチューニングワード間を変動し、その後、ＤＤＳは第２のシーケンス長の第２のチューニングワードで保持される、請求項２１に記載のシンセサイザー。
【請求項２７】
可変周波数を出力する方法であって、
クロックで第１の参照周波数を出力するステップ、
ダイレクトデジタルシンセサイザー（ＤＤＳ）で第１の参照周波数を受信するステップ、
ＤＤＳからチューニングされた周波数を出力するステップ、
可変周波数コム発生器でチューニングされた周波数を受信するステップ、
可変周波数コム発生器から複数のコムラインから構成される可変周波数コムを出力するステップ、
ミキサーで可変周波数コムおよび発振器からの信号を受信するステップ、
ミキサーから中間周波数を出力するステップ、
位相ロックループ（ＰＬＬ）で第２の参照周波数と中間周波数を受信するステップ、
ＰＬＬから位相ロック信号を出力するステップ、
発振器で位相ロック信号を受信するステップ、
合成された周波数の範囲を出力するステップを含む方法。
【請求項２８】
第１の固定参照周波数と第２の固定参照周波数が同じである、請求項２７に記載の方法。
【請求項２９】
第２のＤＤＳが第２の固定参照周波数を得る、請求項２７または２８に記載の方法。
【請求項３０】
中間周波数が発振器の出力と少なくとも１つのコムライン間の差である、請求項２７ないし２９のいずれか一項に記載の方法。
【請求項３１】
中間周波数が固定されている、請求項３０に記載の方法。
【請求項３２】
中間周波数が可変である、請求項３０に記載の方法。
【請求項３３】
参照周波数が固定されている、請求項２７ないし３２のいずれか一項に記載の方法。
【請求項３４】
参照周波数が可変である、請求項２７ないし３２のいずれか一項に記載の方法。
【請求項３５】
発振器がＹＩＧタイプの発振器である、請求項２７ないし３４のいずれか一項に記載の方法。
【請求項３６】
ＰＬＬからの誤差補正信号が電流である、請求項３５に記載の方法。
【請求項３７】
発振器が電圧制御発振器（ＶＣＯ）である、請求項２７ないし３４のいずれか一項に記載の方法。
【請求項３８】
ＰＬＬからの誤差補正信号が電圧である、請求項３７に記載の方法。
【請求項３９】
ＤＤＳとＰＬＬの１つが第２の固定参照周波数を受信する、請求項２７ないし３８のいずれか一項に記載の方法。
【請求項４０】
出力された可変合成周波数にチューニングホールがない、請求項２７ないし３９のいずれか一項に記載の方法。
【請求項４１】
ＤＤＳが固定参照周波数の約１／６から固定参照周波数の約２／５までの範囲全体でチューニング可能である、請求項２７ないし４０のいずれか一項に記載の方法。
【請求項４２】
ＤＤＳ出力周波数が第１のナイキストゾーン内である、請求項４１に記載の方法。
【請求項４３】
ＤＤＳの出力周波数が第１のナイキストゾーンより高いナイキストゾーンにある、請求項４１に記載の方法。
【請求項４４】
最低の出力された合成周波数（ＦＭＩＮ）、ＤＤＳの最大チューニング範囲（ΔＤＤＳＭＡＸ）、およびコムラインの間隔の関係は次によって支配される、請求項２７ないし４３のいずれか一項に記載の方法。
【数６】
2015527826.tif 000006
【請求項４５】
ＰＬＬの極性がプラスとマイナス間で切り換えられ得る、請求項２７ないし４４のいずれか一項に記載の方法。
【請求項４６】
周波数コムラインが２から１８ＧＨｚの範囲をカバーする、請求項２７ないし４５のいずれか一項に記載の方法。
【請求項４７】
トグリングなしのＤＤＳによって達成可能でない限り、ＤＤＳがシンセサイザーを所望の周波数にチューニングするためにディザリングされる、請求項２７ないし４６のいずれか一項に記載の方法。
【請求項４８】
特定の周波数がトグリングなしのＤＤＳによって達成可能な第１の周波数とトグリングなしのＤＤＳによって達成可能な第２の周波数間のチューニングによって達成され、第１の周波数と第２の周波数が所望の周波数を取り囲んでいる、請求項４７に記載の方法。
【請求項４９】
ＤＤＳが第１のシーケンス長の第１のチューニングワードで保持され、その後に、第２のシーケンス長の第２のチューニングワードで保持される、請求項４８に記載の方法。
【請求項５０】
第１のチューニングワードと第２のチューニングワードが１だけ異なり、第１のシーケンス長と第２のシーケンス長の合計時間が最小限化される、請求項４９に記載の方法。
【請求項５１】
第１のチューニングワードが次によって決められ、
【数７】
2015527826.tif 000007
第２のチューニングワードが次によって決められ、
【数８】
2015527826.tif 000008
第１のシーケンス長が次によって決められ、
【数９】
2015527826.tif 000009
および
第２のシーケンス長が次によって決められ、
【数１０】
2015527826.tif 000010
ここで、ｆはクロック周波数、ｂは位相レジスタ長、ｖは量子化された周波数、ｍとｎは整数、Δはシンセサイザーチューニングステップサイズ、およびｇ＝ｇｃｄ（ｍｆ，２ｂｎΔ）であり、ここで、ｇｃｄは最大公約数である、請求項５０に記載の方法。
【請求項５２】
ＤＤＳが第１のシーケンス長の第１のチューニングワードと第２のチューニングワード間を変動し、その後、ＤＤＳは第２のシーケンス長の第２のチューニングワードで保持される、請求項４７に記載の方法。